(57)【要約】【課題】  点字のマスイメージの編集結果および打刻イメージを、打刻前に容易且つ正確に把握可能にし、操作性を向上できる点字情報処理装置、点字情報処理方法、プログラムおよび記憶媒体を提供する。【解決手段】  点字打刻用の点字情報を編集するための編集表示および点字打刻の打刻イメージを表示するためのプレビュー表示が可能であり、編集表示では、点字の各マスの非打刻点を示す非打刻点マークおよび打刻点を示す打刻点マークから成るマスマークを表示し、プレビュー表示では、非打刻点および打刻点のうちの打刻点のみのイメージを表示する。【選択図】  図１２
2006145624.tif 000002
【特許請求の範囲】
【請求項１】
表示画面において、点字打刻用の点字情報を編集するための編集表示および前記点字打刻の打刻イメージを表示するためのプレビュー表示が可能な点字情報処理装置であって、
前記編集表示として、点字の各マスの非打刻点を示す非打刻点マークおよびそれとは異なる形態で打刻点を示す打刻点マークから成るマスマークを表示する編集表示手段と、
前記プレビュー表示として、前記非打刻点および前記打刻点のうちの前記打刻点のみのイメージを表示するプレビュー表示手段と、
を備えたことを特徴とする点字情報処理装置。
【請求項２】
前記打刻点または前記非打刻点を指定することにより、前記マスマークを編集可能な点指定編集手段をさらに備えたことを特徴とする、請求項１に記載の点字情報処理装置。
【請求項３】
前記編集表示手段は、
前記マスマークを表示するマスマーク表示手段と、
前記マスマークに対応する文字による情報である点訳情報を表示する点訳情報表示手段と、
を有することを特徴とする、請求項１または２に記載の点字情報処理装置。
【請求項４】
前記点訳情報を編集して変換することにより、前記マスマークを作成または変更する点訳編集手段をさらに備えたことを特徴とする、請求項３に記載の点字情報処理装置。
【請求項５】
前記編集表示手段は、前記点字打刻と共通の処理シートに印刷される墨字印刷用の墨字情報を表示する墨字情報表示手段をさらに有することを特徴とする、請求項３または４に記載の点字情報処理装置。
【請求項６】
前記墨字情報を編集する墨字情報編集手段と、
前記墨字情報を変換して前記点訳情報を作成または変更する点訳手段と、
をさらに備えたことを特徴とする、請求項５に記載の点字情報処理装置。
【請求項７】
前記編集表示手段は、前記マスマーク、前記点訳情報および前記墨字情報を、共通の表示画面に並べて表示することを特徴とする、請求項５または６に記載の点字情報処理装置。
【請求項８】
前記処理シートに対して前記点字打刻および前記墨字印刷を行うレイアウトを設定するレイアウト設定手段をさらに備え、
前記プレビュー表示手段は、設定されたレイアウトに従って、前記墨字印刷の印刷イメージを前記打刻イメージとともに表示することを特徴とする、請求項５ないし７のいずれかに記載の点字情報処理装置。
【請求項９】
点字打刻用の点字情報を編集するための編集表示および前記点字打刻の打刻イメージを表示するためのプレビュー表示が可能な点字情報処理方法であって、
前記編集表示では、点字の各マスの非打刻点を示す非打刻点マークおよび打刻点を示す打刻点マークから成るマスマークを表示し、前記プレビュー表示では、前記非打刻点および前記打刻点のうちの前記打刻点のみのイメージを表示することを特徴とする点字情報処理方法。
【請求項１０】
請求項１ないし８のいずれかに記載の点字情報処理装置を機能させることを特徴とするプログラム。
【請求項１１】
請求項１０に記載のプログラムを、プログラム処理可能な装置によって読出可能に記憶することを特徴とする記憶媒体。
【発明の詳細な説明】
【技術分野】
【０００１】
本発明は、点字打刻用の点字情報を処理する点字情報処理装置、点字情報処理方法、プログラムおよび記憶媒体に関する。
【背景技術】
【０００２】
従来、視覚障害者が認識可能な点字と、視覚障害を有しない晴眼者が視認可能な墨字（点字に対し、通常の印刷文字を指す）とを、同一の処理シート（テープ等）に対して並べて（または重ねて）配置して、視覚障害者と晴眼者の両者が認識可能な処理シート（点字ラベル）が知られている（例えば、特許文献１参照）。また、墨字印刷と点字打刻とを並行に実行してそれらが並ぶ処理シートを作成できる点字情報処理装置も知られている（例えば、特許文献２参照）。
【特許文献１】特開平１０−２７５２０６号公報
【特許文献２】特開２００１−８８３５８号公報
【発明の開示】
【発明が解決しようとする課題】
【０００３】
しかしながら、上述の種の装置では、墨字を入力・編集して、それを点字変換して打刻するだけなので、実際に点字打刻する前の編集時には、点字側のイメージを把握することが困難であった。また仮に表示画面に表示することに考えが至ったとしても、どのように表示すれば編集等に便利なのかが問題となる。
【０００４】
本発明は、点字のマスイメージの編集結果および打刻イメージを、打刻前に容易且つ正確に把握可能にし、操作性を向上できる点字情報処理装置、点字情報処理方法、プログラムおよび記憶媒体を提供することを目的とする。
【課題を解決するための手段】
【０００５】
本発明の点字情報処理装置は、表示画面において、点字打刻用の点字情報を編集するための編集表示および前記点字打刻の打刻イメージを表示するためのプレビュー表示が可能な点字情報処理装置であって、前記編集表示として、点字の各マスの非打刻点を示す非打刻点マークおよびそれとは異なる形態で打刻点を示す打刻点マークから成るマスマークを表示する編集表示手段と、前記プレビュー表示として、前記非打刻点および前記打刻点のうちの前記打刻点のみのイメージを表示するプレビュー表示手段と、を備えたことを特徴とする。
【０００６】
また、本発明の点字情報処理方法は、点字打刻用の点字情報を編集するための編集表示および前記点字打刻の打刻イメージを表示するためのプレビュー表示が可能な点字情報処理方法であって、前記編集表示では、点字の各マスの非打刻点を示す非打刻点マークおよび打刻点を示す打刻点マークから成るマスマークを表示し、前記プレビュー表示では、前記非打刻点および前記打刻点のうちの前記打刻点のみのイメージを表示することを特徴とする。
【０００７】
これらによれば、編集表示として、非打刻点マークおよび打刻点マークから成るマスマークを表示するので、打刻点と非打刻点とのそれぞれを明示でき、編集対象の点字のマスイメージによる編集結果を容易且つ正確に把握できる。また、一方のプレビュー表示では、実際に打刻結果に反映される打刻点のみのイメージを表示するので、打刻イメージを打刻前に容易且つ正確に把握できる。
【０００８】
また、上述の点字情報処理装置において、前記打刻点または前記非打刻点を指定することにより、前記マスマークを編集可能な点指定編集手段をさらに備えたことが好ましい。
【０００９】
これによれば、マスマークによるマスイメージの点字情報を、打刻点や非打刻点の点単位の指定によって、容易に編集でき、操作性を向上できる。
【００１０】
また、上述の各点字情報処理装置において、前記編集表示手段は、前記マスマークを表示するマスマーク表示手段と、前記マスマークに対応する文字による情報である点訳情報を表示する点訳情報表示手段と、を有することが好ましい。
【００１１】
これによれば、マスマークに対応する文字による情報である点訳情報を、マスマークと共に表示するので、点字のマスイメージばかりでなく、その意味をも容易に把握でき、操作性を向上できる。なお、ここで点訳とは、墨字等の一般的な文字仕様による情報と点字仕様による情報との相互間の翻訳であり、点訳情報は、分かち書き等の点字仕様に従いつつ、文字で表現した情報であり、仲介的な情報である。
【００１２】
また、上述の点字情報処理装置において、前記点訳情報を編集して変換することにより、前記マスマークを作成または変更する点訳編集手段をさらに備えたことが好ましい。
【００１３】
これによれば、点訳情報の編集によって、マスイメージの点字情報を容易に編集でき、操作性を向上できる。
【００１４】
また、点訳情報を表示する上述の各点字情報処理方法において、前記編集表示手段は、前記点字打刻と共通の処理シートに印刷される墨字印刷用の墨字情報を表示する墨字情報表示手段をさらに有することが好ましい。
【００１５】
これによれば、点字のマスイメージやその意味（内容）と共に、墨字情報の表示によって、墨字側の内容を把握できる。このため、墨字（印刷）と点字（打刻）とで別の文字情報を示す場合にも、その旨を容易に把握できる。
【００１６】
また、上述の各点字情報処理装置において、前記墨字情報を編集する墨字情報編集手段と、前記墨字情報を変換して前記点訳情報を作成または変更する点訳手段と、をさらに備えたことが好ましい。
【００１７】
これによれば、墨字情報を編集できるとともに、その墨字情報を点訳情報に反映させることができるので、墨字情報を編集することにより、間接的にマスイメージの点字情報を編集でき、操作性を向上できる。
【００１８】
また、墨字情報を表示する上述の各点字情報処理方法において、前記編集表示手段は、前記マスマーク、前記点訳情報および前記墨字情報を、共通の表示画面に並べて表示することが好ましい。
【００１９】
これによれば、マスマークによるマスイメージの点字情報と、その意味（点訳情報）と、墨字側の内容（墨字情報）と、を同時に把握でき、墨字（印刷）と点字（打刻）と関係などを、容易に把握できる。
【００２０】
また、墨字情報を表示する上述の各点字情報処理方法において、前記処理シートに対して前記点字打刻および前記墨字印刷を行うレイアウトを設定するレイアウト設定手段をさらに備え、前記プレビュー表示手段は、設定されたレイアウトに従って、前記墨字印刷の印刷イメージを前記打刻イメージとともに表示することが好ましい。
【００２１】
これによれば、設定されたレイアウトに従って、墨字印刷の印刷イメージを打刻イメージとともにプレビュー表示するので、共通する処理シートに対する点字打刻と墨字印刷とから成るシート処理の処理結果のイメージを、印刷や打刻の前に容易且つ正確に把握でき、操作性を向上できる。
【００２２】
また、本発明のプログラムは、上述のいずれかの点字情報処理装置を機能させること、または、上述の点字情報処理方法を実行可能なことを特徴とする。また、本発明の記憶媒体は、上述のプログラムを、プログラム処理可能な装置によって読出可能に記憶することを特徴とする。
【００２３】
これらによれば、上述のいずれかの点字情報処理装置を機能させることができるので、または、上述の点字情報処理方法を実行可能なので、プログラム処理可能な装置によって処理されることにより、または、記憶媒体から読み出して実行することにより、点字のマスイメージの編集結果および打刻イメージを、打刻前に容易且つ正確に把握可能にし、操作性を向上できる。
【発明を実施するための最良の形態】
【００２４】
以下、本発明の一実施形態に係るラベル作成装置（点字情報処理装置）について、添付図面を参照しながら詳細に説明する。
【００２５】
図１および図２に示すように、このラベル作成装置１は、装置ケース２により外郭が形成され、装置ケース２の前部上面には各種入力キーを備えたキーボード３が配置されると共に、後部上面には開閉蓋２１が取り付けられ、開閉蓋２１の表側には長方形のディスプレイ４が配設されている。
【００２６】
また、開閉蓋２１の内側には、テープカートリッジＣから繰り出されるテープＴに対して墨字印刷（文字や記号等のキャラクタの印刷）を行う墨字印刷部１２０が組み込まれ、テープカートリッジＣを装着するためのカートリッジ装着部６が窪入形成されており、テープカートリッジＣは、蓋体開放ボタン１４の押下により開閉蓋２１が開放された状態でカートリッジ装着部６に着脱自在に装着される。また、開閉蓋２１には、これを閉止した状態でテープカートリッジＣの装着／非装着を視認するための覗き窓２１ａが形成されている。
【００２７】
また、開閉蓋２１の右側（装置ケース２の後半右部）には、その内部に点字打刻を行うアッセンブリ（点字打刻部１５０：図２右上に図示）が組み込まれ、その上面にはこれを覆うように打刻部カバー３０が取り付けられている。また、この打刻部カバー３０の手前側には、ユーザによりテープ（処理シート）Ｔが手差し挿入される打刻テープ挿入口３１が、また奥側には、打刻後のテープＴが排出される打刻テープ排出口３２が、テープ走行路（送り経路）７０に沿って下り傾斜となるように、それぞれ窪入形成されている。さらに、打刻テープ挿入口３１付近には、テープ幅方向に幅調整可能な手差しガイド３１ａが設けられている。
【００２８】
点字打刻部１５０は、３個の打刻ピン（打刻ヘッド）４１（図５（ｂ）参照）により点字打刻を行う打刻ユニット８０と、打刻テープ挿入口３１に挿入されたテープＴを打刻テープ排出口３２に向けて送るテープ送りユニット（テープ送り機構）６０と、テープＴが搬送されるテープ走行路７０とを有し、テープ走行路７０を構成するフレームにこれらのユニットが組み込まれて打刻アッセンブリが構成され、装置ケース２に一体として装着されるようになっている。また、テープ走行路７０に沿ってテープ送りユニット６０の駆動により送られていくテープＴに対し、打刻ユニット８０により３個の打刻ピン４１を選択的に駆動することで点字Ｂが形成される。
【００２９】
装置ケース２の右側部中央には、電源供給のための電源供給口１１が形成されるとともに、前半右側部には、パソコン等の図外の外部装置と接続するための接続口（インタフェース）１２が形成され、接続することにより、外部装置からの文字情報に基づいて墨字印刷や点字打刻を行い得るようになっている。また、装置ケース２の左側部には、カートリッジ装着部６と外部とを連通する印刷テープ排出口２２が形成され、この印刷テープ排出口２２には、墨字印刷部１２０から送り出したテープＴを切断するための切断部１４０が臨んでいる。そして、切断部１４０によりテープＴの後端部が切断されることにより、印刷テープ排出口２２から墨字印刷後のテープＴが排出される。
【００３０】
また、ラベル作成装置１は、図３に示すように、制御系から見た基本的な構成として、キーボード３およびディスプレイ４を有して、文字情報の入力や各種情報の表示などマンマシンインタフェースを司る操作部１１０と、テープカートリッジＣ、印刷ヘッド７および印刷送りモータ１２１を有して、テープＴおよびインクリボンＲを搬送しながらテープＴ上に墨字印刷を行う墨字印刷部１２０と、フルカッタ１４２およびハーフカッタ１４４並びにこれらをそれぞれ駆動するフルカッタモータ１４１およびハーフカッタモータ１４３を有して、印刷済みテープＴを切断する切断部１４０と、を備えている。
【００３１】
また、ソレノイド４７、打刻ピン４１および打刻送りモータ１５１を有して、テープＴを搬送しながらテープＴに点字打刻を行う点字打刻部１５０と、テープＴ（テープカートリッジＣ）の種別を検出するテープ識別センサ１７１、点字打刻部１５０においてテープＴの先端を検出する例えば透過型の先端検出センサ１７２、同じく点字打刻部１５０において周囲温度（環境温度）を検出する温度検出センサ１７３、印刷送りモータ１２１の回転速度を検出する印刷部回転速度センサ１７４、および打刻送りモータ１５１の回転速度を検出する打刻部回転速度センサ１７５を有して、各種検出を行う検出部１７０と、をさらに備えている。
【００３２】
また、ディスプレイドライバ１８１、ヘッドドライバ１８２、印刷送りモータドライバ１８３、カッタモータドライバ１８４、打刻ドライバ１８５および打刻送りモータドライバ１８６を有し、各部を駆動する駆動部１８０と、各部と接続され、ラベル作成装置１全体を制御する制御部２００と、をさらに備えている。
【００３３】
制御部２００は、ＣＰＵ２１０、ＲＯＭ２２０、ＲＡＭ２３０および入出力制御装置（以下、「ＩＯＣ：Input Output Controller」という）２５０を備え、互いに内部バス２６０により接続されている。ＲＯＭ２２０は、墨字印刷処理や点字打刻処理等の各種処理をＣＰＵ２１０で制御するための制御プログラムを記憶する制御プログラムブロック２２１と、墨字印刷を行うための文字フォントデータや点字打刻を行うための点字フォントデータの他、点字データの打刻制御のための制御データ等を記憶する制御データブロック２２２とを有している。
【００３４】
ＲＡＭ２３０は、フラグ等として使用される各種ワークエリアブロック２３１の他、生成された墨字データを記憶する墨字データブロック２３２と、生成された点字データを記憶する点字データブロック２３３と、ディスプレイ４に表示するための表示データを記憶する表示データブロック２３４と、設定された墨字印刷領域（印刷配置部）Ｅｐと点字打刻領域（打刻配置部）Ｅｂのレイアウトを記憶するレイアウトブロック２３５と、設定されたレイアウトに応じて点字データを１８０°回転させた状態で打刻する場合に使用する反転点字データＢ´（図９参照）を記憶する反転点字データブロック２３６と、を有し、制御処理のための作業領域として使用される。また、ＲＡＭ２３０は電源が切断されても記憶したデータを保持しておくように常にバックアップされている。
【００３５】
ＩＯＣ２５０には、ＣＰＵ２１０の機能を補うと共に各種周辺回路とのインタフェース信号を取り扱うための論理回路が、ゲートアレイやカスタムＬＳＩなどにより構成されて組み込まれている。これにより、ＩＯＣ２５０は、キーボード３からの入力データや制御データあるいは検出部１７０の各種センサ値を、そのまま或いは加工して内部バス２６０に取り込むと共に、ＣＰＵ２１０と連動して、ＣＰＵ２１０から内部バス２６０に出力されたデータや制御信号を、そのまま或いは加工して駆動部１８０に出力する。
【００３６】
そして、ＣＰＵ２１０は、上述の構成により、ＲＯＭ２２０内の制御プログラムに従って、ＩＯＣ２５０を介してラベル作成装置１内の各部から各種信号・データを入力するとともに、入力した各種信号・データに基づいてＲＡＭ２３０内の各種データを処理し、ＩＯＣ２５０を介してラベル作成装置１内の各部に各種信号・データを出力することにより、墨字印刷処理や点字打刻処理の制御などを行う。
【００３７】
例えば、ＣＰＵ２１０は、キーボード３より文字情報が入力されると、これに基づいて墨字データＰおよび点字データＢを生成し、必要に応じて両データ間での長さ等の調整を行うとともに、反転点字データＢ’を用意する（図９参照）。また、調整前または調整後の墨字データ（余白データを含む）Ｐを墨字データブロック２３２に記憶すると共に、同じく調整前または調整後の点字データ（余白データを含む）Ｂを点字データブロック２３３に記憶し、反転点字データＢ’を反転点字データブロック２３６に記憶する。
【００３８】
また、キーボード３から墨字印刷および点字打刻の指示を取得すると、印刷送りモータ１２１の駆動を開始し、印刷部回転速度センサ１７２の検出結果に応じて印刷ヘッド７を駆動することにより、墨字データＰに基づく墨字印刷を行う。その後、墨字データに基づいて（必要に応じて調整済みの）所定長さのテープ送りを行い、フルカッタ１４２によりテープ後端部を切断して、印刷テープ排出口２２からテープＴを排出する。
【００３９】
また、図１〜図３を参照して、引き続き（リセット操作や電源オフ操作が無い状態で）、ユーザによる手差し挿入により、短冊状に切断されたテープＴが打刻テープ挿入口３１に挿入されると、打刻ユニット８０およびテープ送りユニット６０を駆動することにより、点字データＢまたは反転点字データＢ′に基づいて点字打刻を行う。そして、打刻終了後、打刻送りモータ１５１の駆動により、点字データＢ等に基づく調整済みの所定長さのテープ送りを行って、打刻テープ排出口３２からテープＴを排出する。
【００４０】
ここで、図４を参照し、テープＴ上に形成される点字Ｂ（６点点字Ｂ）について説明する。
【００４１】
点字器や点字タイプライタ等で慣用されている１文字（１マス）や文字間（マス間）の仕様（以下「民間仕様」）によれば、同図に示すように、６点点字Ｂは、縦３個×横２個の６個の点（打刻ポイント：いわゆる「１の点」〜「６の点」と呼ばれる６個の点：図右上に注記）で１マス２０１が構成され、６個の点のうちの打刻点および非打刻点のパターンにより、この１マス２０１で、１文字や濁点その他の属性を表現するものである、例えば図４（ａ）は、１の点、２の点、５の点、６の点を打刻点とし、３の点、４の点を非打刻点とすることにより、文字情報「し」を表現する点字（点字データ）Ｂを示す図である。
【００４２】
なお、点字Ｂには、このような仮名文字や数字等を表す６点点字Ｂの他、漢字を表す８点点字（１マスが縦４個×横２個の点で構成される点字）も使用されている。本実施形態では、６点点字Ｂを形成する場合を例に挙げて説明するが、８点点字を形成するラベル作成装置においても本発明は適用可能である。
【００４３】
６点点字Ｂは、１マス２０１が縦３個×横２個の配置パターンで６個の打刻ポイント２０１ａ〜２０１ｆに分割されており、縦方向のピッチが略２．４ｍｍ、マス内の横方向のピッチが略２．１ｍｍ、マス間のピッチは略３．３ｍｍとなっている。同図では、６個の打刻ポイント２０１ａ〜２０１ｆのうち「し」を表現すべく４個の打刻ポイント２０１ａ、２０１ｂ、２０１ｅ、２０１ｆが選択的に打刻されて、テープＴ上に例えば角の丸まった円筒形、半球形、円錐形、四角錐形等の断面形状（図４（ｂ）参照）を有する４個の打刻凸部２０２ａ、２０２ｂ、２０２ｅ、２０２ｆが形成されている。なお、６点点字Ｂを打刻するためには、１マス２０１の大きさ（テープ幅方向長さ）から換算して、最低限テープ幅１２ｍｍ（テープＴ３）が必要となっている。
【００４４】
また、ラベル作成装置１では、打刻ユニット８０として相互に交換可能な２種類のユニットが用意されており、一方は直径が略１．４ｍｍの小形の小打刻凸部２０３を形成し、他方は直径が略１．８ｍｍの大形の大打刻凸部２０４を形成する。大小２種類の打刻凸部２０３、２０４は、その用途によって使い分けられるものであり、例えば、小打刻凸部２０３が点字Ｂの読み取りに慣れた者（先天盲者）向けであって、大打刻凸部２０４が初心者（中途失明者）向けである。
【００４５】
図１〜図３を参照して、さらに詳述する。キーボード３には、文字キー群３ａ、および各種動作モード等を指定するための機能キー群３ｂが配列されている。文字キー群３ａは、墨字印刷や点字打刻を行うための文字情報を入力するためのものであり、ＪＩＳ配列に基づいたフルキー構成となっている。また、機能キー群３ｂには、一般のワープロ等と同様に、漢字変換等のための変換キー、処理の取り消し等のための取消キー、カーソル移動用のカーソルキー、各種選択画面における選択肢の決定やテキスト入力時の改行のための確定（エンター）キーなどが含まれる。
【００４６】
また、さらに機能キー群３ｂには、墨字印刷や点字打刻を実行させるための印刷・実行キー（印刷キー）、点字打刻部１５０におけるテープＴの送り開始を指示する送り開始キー、手動により点字打刻を行わせる打刻開始キーの他、墨字印刷や点字打刻を行う処理モードを選択するためのモードキー、墨字印刷領域（印刷配置部）Ｅｐと点字打刻領域（打刻配置部）Ｅｂの配置を設定するためのレイアウトキー、その配置結果を印刷等の実行前にプレビュー表示させるためのプレビューキー、それをスクロール表示させるためのスクロールキー、点字情報を入力・編集するための点字入力キー、墨字その他の通常文字列を点字に変換（点訳）する際や点字のマスを読み取った際の仲介の文字列（点訳文字列）を生成するための点訳キーなどが含まれる。
【００４７】
モードキーによって選択される処理モードとしては、入力された文字情報に基づいて墨字印刷および点字打刻を行う第１処理モード（図８（ａ）参照）、入力された文字情報に基づいて墨字印刷のみを行う第２処理モード（同図（ｂ）参照）、入力された文字情報に基づいて点字打刻のみを行う第３処理モード（同図（ｃ）参照）があり、いずれか１つの処理モードが選択される。
【００４８】
ディスプレイ４は、横方向（Ｘ方向）約１２ｃｍ×縦方向（Ｙ方向）５ｃｍの長方形の形状の内側に、１９２ドット×８０ドットの表示画像を表示可能であり、ユーザがキーボード３から文字情報を入力して、墨字データや点字データを作成・編集したりする際に用いられる。また、各種エラーやメッセージ（指示内容）を表示し、ユーザに報知する。
【００４９】
墨字印刷部１２０において、カートリッジ装着部６には、ヘッドカバー２０ａ内にサーマルヘッドから成る印刷ヘッド７が内蔵されたヘッドユニット２０と、印刷ヘッド７に対峙するプラテン駆動軸２５と、インクリボンＲを巻き取る巻き取り駆動軸２３と、テープリール１７の位置決め突起２４と、を備えている。また、カートリッジ装着部６の下側には、プラテン駆動軸２５および巻き取り駆動軸２３を回転させる印刷送りモータ１２１が内蔵されている。
【００５０】
テープカートリッジＣは、カートリッジケース５１内部にテープリール１７とリボンリール１９とを収容して構成されており、テープＴとインクリボンＲは同じ幅で構成されている。また、ヘッドカバー２０ａに差し込むための貫通孔５５が形成されており、テープＴとインクリボンＲとが重なる部分に対応して、プラテン駆動軸２５に嵌合されて回転駆動するプラテンローラ５３が配置されている。また、リボンリール１９から繰り出されたインクリボンＲは、ヘッドカバー２０ａを周回して、リボンリール１９に近接配置されたリボン巻き取りリール５４に巻き取られるようになっている。
【００５１】
テープカートリッジＣがカートリッジ装着部６に装着されると、ヘッドカバー２０ａに貫通孔５５が、位置決め突起２４にテープリール１７の中心孔１７ａが、プラテン駆動軸２５にプラテンローラ５３が、巻き取り駆動軸２３にリボン巻き取りリール５４の中心孔がそれぞれ差し込まれ、テープＴおよびインクリボンＲを挟み込んで印刷ヘッド７がプラテンローラ５３に当接して墨字印刷が可能になる。そして、墨字印刷後のテープＴは、印刷テープ排出口２２に送られる。
【００５２】
テープＴは、裏面に粘着剤層（粘着層）が設けられた基材テープ（基材シート：情報形成層）Ｔｂと、この粘着剤層を覆うように基材テープＴｂに貼付された剥離テープ（剥離シート：剥離層）Ｔｅとから構成されている。基材テープＴｂは、表側から、インクリボンＲから感熱転写されるインクの定着性を高めた受像層と、基材テープＴｂの主体を為すポリエチレンテレフタレート（ＰＥＴ）製のフィルムで構成された基材層と、粘着剤で構成された粘着剤層と、を積層して構成されている。剥離テープＴｅは、基材テープＴｂをラベルとして使用する時まで粘着剤層に埃などが付着しないようにするためのものであって、表面にシリコン処理がなされた上質紙（実施形態のものはＰＥＴ製）などで構成されている。
【００５３】
また、テープＴは、テープ種別（テープ幅、テープ色、墨字インク色、テープ材質など）が異なる複数種のものが用意されており、この種別を指標する複数の孔（図示省略）がカートリッジケース５１の裏面に設けられている。また、複数の孔に対応してカートリッジ装着部６には、これらを検出するテープ識別センサ（マイクロスイッチ）１７１が複数設けられており、このテープ識別センサ１７１の状態を検出することで、テープ種別を判別できるようになっている。なお、本実施形態では、テープ幅２４ｍｍ（テープＴ１）、テープ幅１８ｍｍ（テープＴ２）、テープ幅１２ｍｍ（テープＴ３）の３種を例に挙げて説明する（図６参照）。
【００５４】
次に、切断部１４０において、フルカッタ１４２は、詳細は図示しないが、上下方向にスライドカット可能な斜刃のカッタ刃を有するスライド形式のもので、フルカッタモータ１４１を駆動源とするクランク機構を介して、カッタ刃（カッタホルダ）を、テープＴの幅方向にスライド動作させるようになっている。カッタ刃がスライド動作すると、これに臨むテープＴの基材テープＴｂおよび剥離テープＴｅの両方を切断、すなわちテープＴをフルカットするようになっている。
【００５５】
また、同様に、ハーフカッタ１４４は、フルカッタ１４２と概ね同形状のスライドカット可能な斜刃のカッタ刃を有するスライド形式のもので、テープ送り上流側（テープカートリッジＣに近い側）に配設され、ハーフカッタモータ１４３を駆動源とするクランク機構を介して、テープＴの幅方向にスライド動作可能に構成されている。この場合、カッタ刃の突出量は、フルカッタ１４２の場合と異なり、基材テープＴｂのみをカットする突出量に調整され、カッタ刃がスライド動作すると、これに臨むテープＴの基材テープＴｂのみを切断、すなわちテープＴをハーフカットするようになっている。
【００５６】
次に、点字打刻部１５０において、打刻ユニット８０は、図５に示すように、テープＴの裏面側に配設されると共に上記３個の打刻ピン４１が組み込まれた打刻部材（打刻ヘッド）８１と、テープＴを挟んで打刻部材８１と対向する位置で打刻ピン４１の突き上げ（打刻）を受ける打刻受け部材８２とを備え、テープ走行路７０の下側（図（ｂ）における図示下側部）に固定配置されている。
【００５７】
打刻部材８１は、テープ幅方向（図示左右方向）に沿って、２．４ｍｍの間隔で配列された３個の打刻ピン４１を備えており、６個のうち縦３個の打刻ポイント２０１ａ〜２０１ｃ（または２０１ｄ〜２０１ｆ）に対応していると共に、ソレノイド４７を駆動源とした直線運動をガイドするガイド部材４５によって、テープＴに対し垂直に保持されている。打刻ピン４１の頭部４１ａは、打刻した打刻凸部２０２の形状が角の丸まった円筒形、半球形、円錐形、四角錐形等の断面形状（図４（ｂ）参照）となるような形状に形成されている。
【００５８】
ここで、ソレノイド４７によりプランジャー４８が直線運動を行うと、アーム部材４６が支持部材４９を支点として回動し、打刻ピン４１がテープＴに対し垂直方向に直線運動を行う。そして、３個のアーム部材４６にそれぞれ接続された３個のソレノイド４７は、三角形状の角部に位置するようにそれぞれ配設されている。一方、打刻受け部材８２は、３個の打刻ピン４１と対向する面４２ａに、３個の打刻ピン４１に対応する３個の打刻受け凹部４３が形成されている。そして、この打刻ピン４１と打刻受け部材８２とにより、テープＴに打刻凸部２０２を形成する。なお、３個の打刻ピン４１と対向する面４２ａは、打刻受け凹部４３を形成する代わりに、合成ゴム等の弾性材で構成した平坦な面としてもよい。
【００５９】
また、図６に示すように、テープ送りユニット６０は、送りローラ６１と、それを装置フレームに支持する支持部材６２と、送りローラ６１を回転させるための正逆回転可能な打刻送りモータ１５１（図３参照）とを有している。送りローラ６１は、駆動ローラ（図示省略）および従動ローラ６１ａから成るグリップローラであり、従動ローラ６１ａには、形成された点字Ｂを押し潰すことがないよう、干渉を逃げるように、環状溝６３が形成されている。
【００６０】
また、打刻テープ挿入口３１には、テープ幅の大きいものからテープＴ１、Ｔ２、Ｔ３（テープ幅２４、１８、１２ｍｍ）が挿入可能であり、最大テープ幅のテープＴ１については上下ガイド７１、７２によってガイドされ、それ以外のテープＴ２、Ｔ３については、下ガイド部材７１のみによってガイドされ、ユーザによりその先端がテープ送りユニット６０（送りローラ６１）に到達するまで（挿入可能な位置まで）手差し挿入される。そして、キーボード３上のテープ送り開始キーの押下によりテープ送りユニット６０によるテープ送りが開始される。
【００６１】
そして、先端検出センサ１７２によるテープ先端の検出をトリガとして、点字打刻処理を開始する（入力された点字データに基づくテープ送りおよび点字打刻を行う）。このとき、テープ先端から打刻開始位置までの長さが、打刻ピン４１と先端検出センサ９１との間の長さよりも短く設定されている場合は、送りローラ６１を逆回転させることでテープＴを送り戻し、適当な位置まで送ったところで打刻および正方向へのテープ送りを開始する。なお、打刻ユニット８０による打刻開始は、先端検出センサ１７２によるテープ先端の検出をトリガとするばかりでなく、ユーザがキーボード３上の打刻開始キーを押下することにより手動開始させることも可能である。
【００６２】
次に、図７〜図９を参照し、ラベル作成装置１の全体処理について説明する。図７に示すように、電源キーの押下（電源オン）により処理が開始すると、まず、前回の電源オフ時の状態に戻すために、退避していた各制御フラグを復旧するなどの初期設定を行い（Ｓ１０）、テープ識別センサ１７１（図３参照）によりテープ種別を検出し（Ｓ１１）、続いて、ユーザによるキーボード３からの（またはパソコン等の外部装置からの）データ入力により文字情報が入力され、編集画面等として各種の情報が表示される（Ｓ１２）。
【００６３】
ここで、キーボード３からのモード選択指示（モードキー入力）により（または外部装置からの指示入力により）、モード選択割込が発生すると（ＩＮＴＭ）、処理モード選択の処理が起動され、第１処理モード（墨点併記）、第２処理モード（墨字のみ）および第３処理モード（点字のみ）のいずれかが選択される（Ｓ１３）。
【００６４】
また、レイアウト設定指示（レイアウトキー入力）により（または外部装置からの指示入力により）、レイアウト設定割込が発生すると（ＩＮＴＬ）、レイアウト設定の処理が起動され（Ｓ３０）、プレビュー表示指示（プレビューキー入力）により（または外部装置からの指示入力により）、プレビュー表示割込が発生すると（ＩＮＴＲ）、プレビュー表示の処理が起動され（Ｓ３１）、点字入力指示（点字入力キー入力）により（または外部装置からの指示入力により）、点字入力指示割込が発生すると（ＩＮＴＢ）、点字入力の処理が起動され（Ｓ３２）、印刷／実行指示（印刷キー入力）により（または外部装置からの指示入力により）、印刷割込が発生すると（ＩＮＴＧ）、実行前設定の処理が起動される（Ｓ１４）。
【００６５】
ここで、実行前設定（Ｓ１４）では、実際の墨字印刷や点字打刻に際してその時点で必要とされる割付配置等の設定や各設定の最終確認等が行われる。なお、モード選択割込、レイアウト設定割込、プレビュー表示割込、点字入力指示割込などがないまま、印刷割込が発生したときには（ＩＮＴＧ）、デフォルトとして前回の設定のモード（初期設定では、第１処理モード、点字下段、墨点並行、墨字入力）が選択される。そして、実行前設定（Ｓ１４）が終了すると、実際の墨字印刷や点字打刻の処理を開始する。
【００６６】
すなわち、図７および図８（ａ）に示すように、第１処理モードの場合（Ｓ１３：（ａ））、墨字印刷部１２０による墨字Ｐの印刷（墨字印刷）を行った後（Ｓ１５）、テープカットと印刷テープ排出口２２からのテープＴの排出を行い（Ｓ１６）、ディスプレイ４上に打刻テープ挿入口３１へのテープ挿入指示を表示する（Ｓ１７）。なお、この指示表示は、インジケータやＬＥＤによって行っても良い。
【００６７】
テープ挿入指示に従って、ユーザによりテープＴが打刻テープ挿入口３１に挿入（手差し挿入）されると、点字打刻部１５０により点字Ｂの打刻（点字打刻）を行った後（Ｓ１８）、打刻テープ排出口３２から打刻済みテープＴを排出し（Ｓ１９）、処理を終了する（Ｓ２７）。
【００６８】
また、第２処理モードの場合（Ｓ１３：（ｂ））、墨字印刷部１２０による墨字印刷の後（Ｓ２０）、テープカット・排出を行い（Ｓ２１）、処理を終了する（Ｓ２７）。すなわち、第２処理モードでは、図８（ｂ）に示すように、装着されたテープカートリッジＣから繰り出されたテープＴが墨字印刷部１２０へ送られることによって墨字Ｐを印刷する。
【００６９】
また、第３処理モードの場合（Ｓ１３：（ｃ））、ディスプレイ４上に打刻テープ挿入口３１へのテープ挿入指示を表示し（Ｓ２４）、ユーザによるテープ挿入により点字打刻を行った後（Ｓ２５）、打刻テープ排出口３２から打刻済みテープＴを排出し（Ｓ２６）、処理を終了する（Ｓ２７）。すなわち、第３処理モードでは、図８（ｃ）に示すように、短冊状のテープ（任意の長さにカットされたテープ）Ｔが手差し挿入により点字打刻部１５０に送られて、点字Ｂを打刻する。
【００７０】
なお、手差し挿入のための短冊状のテープＴを入手するために、テープ挿入指示（Ｓ２４）の前に、図７および図８（ｃ）に点線で図示のように、第１処理モードの墨字印刷の代わりの空印刷（何も印刷しないでテープ送りのみ）を行った後（Ｓ２２）、テープカット・排出を行い（Ｓ２３）、排出されたテープカット後のテープＴを、手差し挿入用の短冊状のテープＴとして利用しても良い。また、図示はしないが、点字打刻部１５０の上流側にテープカートリッジＣを装着できる仕様とし、テープカートリッジＣから繰り出された長尺状のテープに点字打刻を行わせることも可能である。また、墨字印刷と点字打刻は、同じ文字情報に基づいて印刷／打刻するのではなく、異なる文字情報に基づいて実行することも可能である。
【００７１】
次に、レイアウト設定（Ｓ３０）では、テープ幅検出結果（Ｓ１１）および処理モード選択結果（Ｓ１３）に基づいて、主な設定として、テープＴ上における墨字印刷領域（印刷配置部）Ｅｐや点字打刻領域（打刻配置部）Ｅｂの相対位置や（図９、図１３、図１４等参照）、各配置部の長さ（印刷配置部長さＰＬ、打刻配置部長さＢＬ、共通配置部長さＣＬ等）が設定され（図１３等参照）、その他、墨字印刷の文字サイズなど、一般的なテープ印刷装置やワープロ等と同様の設定が行われる。
【００７２】
そして、特に第１処理モード（墨点併記）の場合、図９に示すように、テープ幅の検出結果が２４ｍｍ（テープＴ１）の場合は（同図（ａ）参照）、印刷配置部Ｅｐが上段，打刻配置部Ｅｂが下段（ａ―１：以下「点字下段」）、または印刷配置部Ｅｐが下段，打刻配置部Ｅｂが上段（ａ―２：以下「点字上段」）のいずれかのレイアウトが選択される。
【００７３】
また、テープ幅１８ｍｍ（テープＴ２）の場合も（図９（ｂ）参照）、点字下段（ｂ―１）、点字上段（ｂ―２）のいずれかが選択されることとなるが、この場合、テープ幅に合わせて印刷配置部Ｅｐのテープ幅方向長さが短くなる。なお、これらのテープＴ１やテープＴ２の場合、墨字と点字とを並行に配置するレイアウト（以下「墨点並行」）以外に、自由に（例えば大きく）印刷した墨字の一部に点字を重ねるレイアウト（以下「墨点重ね」）を選択して、設定できるようになっている。
【００７４】
なお、テープ幅１２ｍｍ（テープＴ３）の場合は（図９（ｃ）参照）、テープ幅が点字１マス２０１の大きさ（テープ幅方向長さ）を打刻可能な最低の長さであるため（図４（ａ）参照）、点字上段・下段の選択、墨点並行／重ねの選択・設定に拘わらず、印刷配置部Ｅｐと打刻配置部Ｅｂが重なり合ったレイアウトのみとなる。
【００７５】
次に、ラベル作成装置１では、ディスプレイ４内に、テキスト編集画面等の通常の表示画面の他に、対応するプレビュー表示画面（プレビュー画面、モニタ画面）を表示することができる。このため、上述のプレビュー表示（図７のＳ３１）では、その時点で実際の墨字印刷や点字打刻が行われた場合の、その墨字印刷や点字打刻のイメージ（画像）を、ディスプレイ４内のモニタ画面に表示（プレビュー表示）する（図１２のＤ２３、図１４のＤ３０〜Ｄ３２等参照）。
【００７６】
次に、ラベル作成時の操作の例について、特に点字入力指示（点字入力キーの押下）に応じて、文字（点字）情報を入力する例について、さらに具体的に詳述する。
【００７７】
まず、例えば図１０に示すように、テキスト編集開始前の初期状態では、編集を開始する１行目の行番号（墨字マークＭｋｐ）を表示するとともに、１行目の１文字目の入力を促すカーソルＫを表示する（テキスト編集画面：画面Ｄ００：以下、ディスプレイ４の表示画面の状態を画面Ｄｘｘとし、Ｄｘｘのみで説明および図示する。）。
【００７８】
この状態から（Ｄ１０）、点字入力キーが押されると（図７の点字入力指示割込（ＩＮＴＢ））、点字入力のため、その第１階層の選択画面（点字入力選択画面）に遷移する（Ｄ１１）。なお、ラベル作成装置１では、ユーザは、キー入力による各種指示等や入力データを、削除キーの押下（１回に１文字ずつの削除）や取消キーの押下によって取り消して、元の状態に戻すことができるが、これらについて、以下では説明は適宜省略する。
【００７９】
上述の状態では（Ｄ１１）、選択肢として、文字入力に基づいて点字を入力する「文字入力」および打刻点を指定して点単位で点字（マス）を入力する「６点入力」のいずれかを、カーソル操作によって選択・指定できる（画面遷移直後は前回指定の選択肢をデフォルトとしてカーソル指定して表示：初期設定は「文字入力」）。なお、以下の各種画面においても、基本的に画面遷移直後は、前回指定の位置をデフォルトとしてカーソル指定して表示するものとし、説明は省略して、適宜、初期設定のみ付記する。
【００８０】
ここでは、上述の状態から（Ｄ１１）、カーソル操作により「６点入力」がカーソル指定されて（Ｄ１２）、エンターキーの押下により選択（以下単に「選択確定」という）されたとすると、点字入力方法（点字入力モード）として「６点入力」を設定して、次に、打刻点指定により点字を入力・編集するための編集画面（点字６点編集画面：第２階層）に遷移する（Ｄ１３）。
【００８１】
この編集画面では、点字の各マスの打刻点を、１の点〜６の点の点番号１〜６で指定することができ、例えばここで、数字キー「１」が押されると、１の点が指定（入力）されたことを、画面右側の○の１番の表示を変化させることによって表示（明示）するとともに、「入力」の欄の「入力［  」の右にカーソルＫを移動して、１の点のみの点字イメージ（マスのイメージ）を、未確定なので白黒反転表示で表示し、さらに１の点のみに対応する文字（点訳文字）「あ」のカタカナ「ア」を「カナ」の欄に表示する（Ｄ１４）。
【００８２】
なお、「入力」欄に表示されるマスのイメージの「●」またはその白黒反転の「○」は打刻点を示し、上記の例では１の点を打刻点とする旨の表示となり、一方、他の点に相当する「−」またはその白黒反転は非打刻点を示し、上記の例では２〜６の点が非打刻点である旨の表示となる（Ｄ１４：図１９（ａ）参照）。
【００８３】
上述の状態から（Ｄ１４）、同様に、数字「２、３、４、５」が入力されると、点「１、２、３、４、５」（１〜５の点）の打刻点指定となり、点「６」のみ非打刻点指定となって、その点字（マス）イメージを「入力」欄に未確定状態で表示するとともに、対応する点訳文字「て」のカナ「テ」を「カナ」欄に表示する（Ｄ１５）。
【００８４】
なお、各打刻点指定（数字指定）は途中の削除キー等の押下により削除可能であり、削除後に再入力等もできる。また、点「２、３、４」の「ノ」の状態から点「５」を追加して「ト」としてから点「１」を追加指定して「テ」に移行するなど、数字の入力順（打刻点指定）は任意である。
【００８５】
図１１に示すように、上述の状態において（Ｄ１５：図１０と共通）、最初の「テ」のマスを予定通り入力したので、それを確認後、確定（エンター）キーが押されると、入力欄のマス表示が未確定状態から確定状態に移行し、その旨をマス表示の白黒反転状態表示から正常状態表示の変化で表示する（Ｄ１６）。
【００８６】
次に、この状態から（Ｄ１６）、同様に数字「３、５、６」が入力（打刻点指定）されると、そのマスイメージを「入力」欄に未確定状態で表示するとともに、対応する点訳文字のカナ「ン」を「カナ」欄に表示し（Ｄ１７）、それを確認後、エンターキーが押されると、マス表示が未確定（白黒反転）状態から確定状態に移行する（Ｄ１８）。
【００８７】
次に、この状態から（Ｄ１８）、同様に数字「５」が入力されると、そのマスイメージを未確定状態で表示するが、これは濁音符なので、対応するカナ欄は未表示のまま待機し、それを確定（エンターキー押下）後、次に数字「１、２、５、６」が入力されると、これに対応する文字は「シ」なので、その濁音である「ジ」を点訳文字として「カナ」欄に表示し、それを確認後、エンターキーが押されると、マス表示を確定状態に移行させるとともに、カナ「ジ」も確定させる（Ｄ１９）。
【００８８】
図１２に示すように、上述の状態において（Ｄ１９：図１１と共通）、「テンジ」のマスを予定通り入力したので、それを確認後、エンターキーが押されると、「テンジ」の点字（マス）を確定させると共に、テキスト編集画面（点字文字編集画面：テキスト編集画面の１種）に移行する（Ｄ２０）。
【００８９】
ただし、ここでは、「テンジ」の文字に対応するマスが入力・確定済みであることを、（全て打刻点の「メ」のマスに類似する）点字マークＭｋｂと並べて「テンジ」のカナを表示することで明示するとともに、墨字側も同一の文字情報に基づく場合に対応し易くするために、１行目の行番号を示す墨字マークＭｋｐと未確定状態の「テンジ」とを、墨字の入力行として表示する（Ｄ２０）。
【００９０】
この状態は（Ｄ２０）、墨字については、文字列「テンジ」を入力して未確定の状態（白黒反転状態）と同じであり、他の文字列を墨字入力したい場合には、削除キーにより「テンジ」の未確定状態を削除（キャンセル）して、何も墨字（文字）入力されていない状態にしてから、改めて墨字として印刷したい文字列を入力すれば良い。
【００９１】
ただし、ここでは、「テンジ」の未確定状態をそのまま生かして、漢字変換のために変換キーが押されたとすると、例えば「点字」の漢字入力の未確定状態に移行し（Ｄ２１）、それを確認後、エンターキーが押されると、「点字」の墨字を確定させる（Ｄ２２）。なお、上記の「点字」の未確定状態からさらに変換キーを押すことにより、平仮名の「てんじ」や他の漢字（例えば「展示」等）に変換することもできるし、変換キーを押す前の状態を生かして片仮名の「テンジ」のまま確定することもできる。
【００９２】
次に、上述の状態から（Ｄ２２）、印刷キーが押され、印刷割込が発生すると（図７のＩＮＴＧ）、例えばテープ幅１２ｍｍの場合、図１３に示すように、第２処理モード（墨字のみ）が選択されていたときには、墨字画像Ｇｐ０に従って墨字印刷して、墨字印刷結果のラベルＬｐ０を作成でき、第３処理モード（点字のみ）が選択されていたときには、点字画像Ｇｂ０に従って点字打刻を行って、点字打刻結果のラベルＬｂ０を作成でき、第１処理モード（墨点併記）が選択されていたときには、墨字画像Ｇｐ０により墨字印刷を行った後、点字画像Ｇｂ０の点字打刻を行って、外観（画像）Ｇ００のような墨点併記のラベルＬ００を作成できる。
【００９３】
このため、上述の状態で（図１２のＤ２２）、プレビューキーが押され、プレビュー表示割込が発生すると（図７のＩＮＴＲ）、プレビュー表示の処理が起動され（Ｓ３１）、例えば上述の第１処理モード（墨点併記）が選択されていたときには、上述のラベルＬ００のように、点字イメージと墨字イメージとを重ねた墨点併記のイメージを（プレビュー）表示する（Ｄ２３）。
【００９４】
ところで、上述の点字６点編集画面では、打刻点と非打刻点との双方を含む６点のマスのイメージを把握しつつ編集を進めるため、打刻点を示す「●」等のマーク（打刻点マーク）と、打刻しない非打刻点を示す「−」等のマーク（非打刻点マーク）と、から成るマスイメージのマーク（マスマーク）を表示している。
【００９５】
これに対して、上述のプレビュー表示画面（プレビュー画面）では、実際に打刻される点字（マス）のイメージを忠実に表示するため、レイアウト設定（図７のＳ３０）の設定結果に従って、打刻点のみのイメージを表示する（Ｄ２３）。すなわち、打刻されないため実際のラベルの外観には反映されない非打刻点のイメージは表示しないようになっている。
【００９６】
ここで、上述の例のラベルＬ００やそのイメージを表示するプレビュー画面（Ｄ２３）では、共通配置部長さＣＬ（＝打刻配置部長さＢＬ）の共通配置部Ｅｃに対して、短い側の印刷配置部長さＰＬの印刷配置部Ｅｐを、いわゆる「前寄せ」（左寄せ）で割り付けたが、例えば図１４に示すように、「中寄せ」（中央寄せ、センタリング）にしたり（図（ａ）：外観Ｇ１０、ラベルＬ１０、プレビュー画面Ｄ３０）、「後寄せ」（右寄せ）にしたり（図（ｂ）：Ｇ１１、Ｌ１１、Ｄ３１）、「均等」に配置したり（図（ｃ）：Ｇ１２、Ｌ１２、Ｄ３２）、など、レイアウト設定（Ｓ３０）における設定を変更することによって、任意のレイアウト（ここでは割付）を選択できる。
【００９７】
なお、上述の例を第１例とすると、この第１例では、打刻点指定による「６点入力」を用いて点字（文字）情報を入力したが、晴眼者にはより便利な対応文字指定（点訳文字指定）による「文字入力」を用いることもできる。これを第２例として、以下に説明する。
【００９８】
この場合、例えば図１５に示すように、前述の点字入力選択画面（Ｄ１１：図１０と共通）において、「文字入力」がそのまま選択確定されたとすると、点字入力方法（点字入力モード）として「文字入力」を設定して、次に、点字側も墨字側も未入力のまま点字マークＭｋｂと墨字マークＭｋｐとが表示され且つカーソルＫにより１文字目の入力を促す点字文字編集画面に移行する（Ｄ４０）。
【００９９】
次に、この状態から（Ｄ４０）、文字列「てんじ」（または「テンジ」）が入力されると、墨字マークＭｋｐのある墨字側には、入力された未確定状態の文字列「てんじ」（または「テンジ」：図示では図１２に合わせて「テンジ」）を表示するとともに、点字マークＭｋｂのある点字側には、点字に変換する（点字に訳す：点訳する）ための文字列（点訳文字列）となる「テンジ」を表示する（Ｄ４１：図１２のＤ２０と同様）。
【０１００】
次に、図１２で前述の第１例と同様に、漢字変換のために変換キーが押されたとすると、例えば「点字」を確定入力できる（Ｄ４２〜Ｄ４３：図１２のＤ２１〜Ｄ２２と同じ）。もちろん、この場合も同様に、変換キー等の操作により、「てんじ」や「テンジ」や他の漢字（例えば「展示」等）に変換することもできる。
【０１０１】
また、同様に、上述の状態から（Ｄ４３）、印刷キーが押され、印刷割込が発生すると（図７のＩＮＴＧ）、処理モードに従って、図１３で前述のラベルＬ００等を作成できるため、上述の状態で（Ｄ４３）、プレビューキーが押され、プレビュー表示割込が発生すると（図７のＩＮＴＲ）、ラベルＬ００等のイメージをプレビュー表示する（Ｄ４４：図１２のＤ２３と同じ）。
【０１０２】
なお、上述の第２例よりもさらに、入力文字列と点訳文字列と対応する点字イメージとを明確に区別して把握可能で、且つそれぞれを編集可能な表示画面（点字情報編集画面）とすることもできる。これを第３例として、以下に説明する。
【０１０３】
この場合、例えば図１６に示すように、前述の点字入力選択画面（Ｄ１１：図１０と共通）において、「文字入力」がそのまま選択確定されたとすると、点字入力方法（点字入力モード）として「文字入力」を設定して、次に、点字情報編集画面に遷移する（Ｄ５０）。
【０１０４】
この点字情報編集画面では、通常の文字列（通常文字列）の入力・編集のための「入力」欄と、点訳文字列の入力・編集のための「点訳」欄と、点訳文字列に対応する点字のマスのイメージを表示するための「点字」欄と、を各行に並べて表示し、初期状態では、カーソルＫにより「入力」欄の１文字目の入力を促す（Ｄ５０）。
【０１０５】
次に、この状態から（Ｄ５０）、通常文字列「てんじ」が入力されると、その未確定状態を表示し、この状態から（Ｄ５１）、変換キーが押されると、前述と同様に、例えば「点字」を確定入力できる（Ｄ５２〜Ｄ５３）。この場合も同様に、変換キー等の操作により、「てんじ」や「テンジ」や他の漢字に変換することもできる。また、この場合、上述の状態から（Ｄ５３）、さらに文字列の入力を続けたり、その他の各種編集を行うこともできる。
【０１０６】
ここでは、上述の状態から（Ｄ５３）、点訳キーが押されたとすると、通常文字列（墨字文字列）として、一旦、確定した後、その墨字文字列「点字」を点訳した点訳文字列「テンジ」を「点訳」欄に表示し、対応する点字マスのイメージを「点字」欄に表示し、点訳文字列の状態での編集が可能なことを示すように、カーソルＫを「点訳」欄に移動させる（Ｄ５４）。
【０１０７】
ユーザは、この状態から（Ｄ５４）、「入力」欄の墨字文字列に拘わらず、それとは別の文字列となるように「点訳」欄の点訳文字列を編集することができ、「点字」欄には、編集された点訳文字列に対応する点字のマスイメージを、マスマークにより表示する。
【０１０８】
なお、この状態から、例えばカーソルＫを「点字」欄に移動可能にして、移動後には、図１１で前述の６点入力と同様にして、打刻点指定により、「点字」欄のマスを直接編集できるようにしても良い。
【０１０９】
ここでは、図示のように、「点訳」欄や「点字」欄においては変更が無かったものとして、そのままそれを確認後、エンターキーが押されると、「入力」欄の墨字文字列「点字」と、「点訳」欄の点訳文字列「テンジ」と、それに対応する「点字」欄のマスイメージのマスマークを確定させると共に、図１２で前述と同様の点字文字編集画面に移行する（Ｄ５５：図１２のＤ２２と同じ）。
【０１１０】
このため、上述の状態から（Ｄ５５）、印刷キーにより印刷割込が発生すると（図７のＩＮＴＧ）、処理モードに従って図１３で前述のラベルＬ００等を作成できるとともに、プレビューキーによりプレビュー表示割込が発生すると（図７のＩＮＴＲ）、ラベルＬ００等のイメージをプレビュー表示する（図１２のＤ２３、図１５のＤ４４等参照）。
【０１１１】
なお、上述の各例（第１例〜第３例）のように、点字入力・編集のための特別な編集画面に移行してから編集するのでなく、墨字を編集する通常のテキスト編集画面から、直接、点訳できるようにしても良い。これを第４例として、以下に説明する。
【０１１２】
この場合、例えば図１７に示すように、前述のテキスト編集画面（Ｄ１０：図１０と共通）において、通常文字列（墨字文字列）「てんじ」が入力されると、その未確定状態を表示し、この状態から（Ｄ６０）、変換キーが押されると、前述と同様に、例えば「点字」を確定入力できる（Ｄ６１〜Ｄ６２）。この場合も同様に、変換キー等の操作により、「てんじ」や「テンジ」や他の漢字に変換することもできる。また、この場合、上述の状態から（Ｄ６２）、さらに文字列の入力を続けたり、その他の各種編集を行うこともできる。
【０１１３】
ここでは、上述の状態から（Ｄ６２）、点訳キーが押されたとすると、墨字文字列「点字」を確定した後、前述と同様の点字情報編集画面に遷移する（Ｄ６３：図１５のＤ５４と同じ）。この状態からは（Ｄ６３）、前述同様、「入力」欄の墨字文字列に拘わらず、「点訳」欄の点訳文字列を編集することができ、「点字」欄には、点訳文字列に対応する点字のマスイメージをマスマークで表示する。なお、この画面（Ｄ６３）に移行しないで、直接、点字文字編集画面に移行する（Ｄ６４：図１２のＤ２２と同じ）ようにしても良い。
【０１１４】
上述のように、本実施形態のラベル作成装置１では、編集表示として、点字のマスイメージを示すマスマークを表示し、マスマークは、「●」またはその白黒反転の「○」から成り打刻点を示す打刻点マークと、「−」またはその白黒反転から成り非打刻点を示す非打刻点マークと、から構成される。
【０１１５】
すなわち、点字入力の「６点入力」における「入力」欄（第１例の図１０〜図１１等参照）や、「文字入力」における「点字」欄（第３例の図１６等参照）に、非打刻点マークおよび打刻点マークから成るマスマークを表示するので、打刻点と非打刻点とのそれぞれを明示でき、編集対象の点字のマスイメージによる編集結果を容易且つ正確に把握できる。
【０１１６】
また、一方のプレビュー表示では、実際に打刻結果に反映される打刻点のみのイメージを表示するので、打刻イメージを打刻前に容易且つ正確に把握できる（図１２のＤ２３、図１４のＤ３０〜Ｄ３２、図１５のＤ４４等参照）。また、第１処理モード（墨点併記）の場合、レイアウト設定（Ｓ３０）により設定されたレイアウトに従って、墨字印刷の印刷イメージを打刻イメージとともにプレビュー表示するので、テープ（共通する処理シート）Ｔに対する点字打刻と墨字印刷（とから成るシート処理の処理結果）のイメージを、印刷や打刻の前に容易且つ正確に把握でき、さらに操作性を向上できる。
【０１１７】
また、図１０〜図１２の第１例で前述のように、マスマークによるマスイメージの点字情報を、打刻点の点単位の指定によって、容易に編集できる。
【０１１８】
なお、前述の第１例では、打刻点を指定して打刻点を追加する方向での編集についてのみ述べたが、打刻点を再度指定して非打刻点とする非打刻点指定もできる。
【０１１９】
例えば図１８に示すように、１の点が打刻点指定された状態（すなわち「ア」のカナに対応する点字マスの状態）では、１の点として打刻マーク（未確定なので「●」の白黒反転の「○」）が表示され、他の点（２〜６の点）は非打刻点なので、非打刻点マーク（ここでは白黒反転された「−」）で表示されている（Ｄ１４：図１０と共通）。
【０１２０】
この状態から（Ｄ１４）、数字キー「１」により数字「１」が入力されると、打刻点マークで示されていた１の点を、非打刻点を示す非打刻点マークに変化させて表示する（Ｄ７０）。すなわち、この場合の数字「１」の入力は、打刻点を非打刻点に変える非打刻点指定の入力となる。
【０１２１】
また、この場合、唯一の打刻点であった１の点が非打刻点に変わったので、打刻点のないマス、すなわち本来なら空白となるが、未確定状態では、再度の打刻点指定によるマスの入力を容易にするため、非打刻点マークのみのマスマークで表示する。このため、ここで、改めて「１」〜「６」のいずれかの数字入力があれば、対応する点を打刻点マークに変化させる。
【０１２２】
一方、非打刻点マークのみのマスマークで表示した状態から（Ｄ７０）、その状態を確認後、エンターキーが押されると、空白（のマス）を確定する（Ｄ７１）。
【０１２３】
この状態から（Ｄ７１）、削除キーが押されると、確定された空白マスを削除して、元の状態に戻す（Ｄ７２：図１０のＤ１３と同じ）。
【０１２４】
また、上述の状態から（Ｄ７１）、新たな数字入力、例えば数字キー「１」により数字「１」の入力があると、空白マスを確定したまま、次のマスの１の点を打刻点指定したことになり、空白マスの次のマスを、１の点のみを打刻点マークとし他を非打刻点マークとしたマスマークで表示する（Ｄ７３）。
【０１２５】
なお、本実施形態では、上述のように、すなわち例えば図１９（ａ）等に示すように、打刻点マークＭｈを「●」、非打刻点マークＭｎを「−」とし、未確定状態を白黒反転状態で示し、確定状態を（白黒反転されていない）通常状態で表示したが（同図（ａ）（ｃ）の組合せで未確定状態と確定状態とを表示したが）、未確定状態を例えば同図（ｂ）のように点線枠で囲んで表示するなど、他の表示方法に代えることもできる。
【０１２６】
また、同様に、非打刻点マークＭｎの「−」を実線の「○」や（同図（ｄ）〜（ｆ）参照）、点線の「○」（同図（ｇ）〜（ｉ）参照）に変更したり、未確定状態を白黒反転でなく実線枠で囲むように（同図（ｇ）参照）、変更することもできる。
【０１２７】
また、空白マスは、未確定状態のときのみ全て非打刻点マーク「−」のみから成るマスマーク、すなわち「−」の白黒反転状態で示したが、確定状態でも単なる空白の代わりに全て「−」のマスマークを利用しても良い（同図（ｊ）参照）。また、空白のマスをイメージしやすいように、点線枠のみのマスマークとしても良い（同図（ｋ）〜（ｌ）参照）。
【０１２８】
説明を戻すと、さらに本実施形態では、マスイメージを示すマスマーク（マスマークによる点字情報）ばかりでなく、マスマークに対応する文字による情報である点訳情報（第１例の６点入力の「カナ」欄の点訳文字列（図１０〜図１１等参照）、第１例や第２例の点字文字編集画面の点訳文字列（図１２のＤ２０〜Ｄ２２の上側の行、図１５のＤ４１〜Ｄ４３の上側の行）、第３例や第４例の「点訳」欄の点訳文字列（図１６、図１７等参照））を表示するので、点字のマスイメージばかりでなく、その意味をも容易に把握でき、操作性を向上できるようになっている。
【０１２９】
また、この点訳文字列を直接編集することもでき（第３例の図１６のＤ５４、第４例の図１７のＤ６３等参照）、点訳情報の編集によって、マスイメージの点字情報を容易に編集でき、さらに操作性を向上できる。
【０１３０】
また、さらに本実施形態では、マスマークや点訳文字列と共に、墨字文字列（墨字情報）を表示するので（第１例や第２例の点字文字編集画面の墨字文字列（図１２のＤ２０〜Ｄ２２の下側の行、図１５のＤ４０〜Ｄ４３の下側の行）、第３例や第４例の「入力」欄の墨字文字列（図１６、図１７等参照））、点字のマスイメージやその意味（内容）と共に、墨字情報の表示によって、墨字側の内容を把握できる。また、このため、墨字（印刷）と点字（打刻）とで別の文字情報を示す場合にも、その旨を容易に把握できる。
【０１３１】
また、この墨字文字列（墨字情報）を編集できるとともに、その墨字情報を点訳情報に反映させることができるので（第２例〜第４例の図１５〜図１７等参照）、墨字情報を編集することにより、間接的にマスイメージの点字情報を編集でき、さらに操作性を向上できる。また、その墨字情報をマスマークや点訳文字列と並べて同時に表示できるので（第３例の図１６等参照）、マスマークによるマスイメージの点字情報と、その意味（点訳情報）と、墨字側の内容（墨字情報）と、を同時に把握でき、墨字（印刷）と点字（打刻）と関係などを、容易に把握できる。
【０１３２】
また、上述した実施形態において採用された点字情報処理装置としての機能あるいは各種処理方法（点字情報処理方法など）は、上述のラベル作成装置１ばかりでなく、プログラム処理可能な各種の装置によって処理されるプログラムとして適用でき、その種のプログラムを記憶するための記憶媒体にも適用でき、この種のプログラムを記憶しておいて、あるいは記憶媒体等から読み出して、実行することにより、点字のマスイメージの編集結果および打刻イメージを、打刻前に容易且つ正確に把握可能にし、操作性を向上できる。
【０１３３】
また、上記の記憶媒体としては、ＣＤ−ＲＯＭ、フラッシュＲＯＭ、メモリカード（コンパクトフラッシュ（登録商標）、スマートメディア、メモリースティック等）、コンパクトディスク、光磁気ディスク、デジタルバーサタイルディスクおよびフレキシブルディスク等を利用することができる。もちろん、その他、要旨を逸脱しない範囲で、適宜変更も可能である。
【図面の簡単な説明】
【０１３４】
【図１】実施形態に係るラベル作成装置の外観斜視図。
【図２】図１のラベル作成装置の開蓋状態の外観斜視図。
【図３】図１のラベル作成装置の制御系の概略ブロック図。
【図４】６点点字の説明図および打刻凸部の断面図。
【図５】打刻ユニットの平面図および断面図。
【図６】点字打刻部におけるテープの搬送を説明する説明図。
【図７】ラベル作成装置の全体処理のフローチャート。
【図８】図７の処理モードに関する補足説明図。
【図９】図７のテープ幅の相違に関する補足説明図。
【図１０】第１例による点字情報入力・編集時の操作の説明図。
【図１１】図１０に続く、図１０と同様の説明図。
【図１２】図１１に続く、図１０と同様の説明図。
【図１３】作成可能なラベルの例を示す説明図。
【図１４】レイアウト設定が異なる例のラベルおよびそれに対応するプレビュー表示画面の例を示す説明図。
【図１５】第２例の、図１０と同様の説明図。
【図１６】第３例の、図１０と同様の説明図。
【図１７】第４例の、図１０と同様の説明図。
【図１８】６点入力によるマスイメージ表示の補足説明図。
【図１９】マスマークの各種例を示す説明図。
【符号の説明】
【０１３５】
１…ラベル作成装置（点字情報処理装置）  ２…装置ケース  ３…キーボード  ４…ディスプレイ  ７…印刷ヘッド  １１０…操作部  １２０…墨字印刷部  １４０…切断部  １５０…点字打刻部  １７０…検出部  １８０…駆動部  ２００…制御部  Ｂ…点字  ＢＬ…打刻配置部長さ  Ｃ…テープカートリッジ  ＣＬ…共通配置部長さ  Ｄｘｘ…表示画面  Ｅｂ…点字打刻領域（打刻配置部）  Ｅｃ…共通処理領域（共通配置部）  Ｅｐ…墨字印刷領域（印刷配置部）  Ｇｘｘ…画像  Ｌｘｘ…ラベル  Ｍｈ…打刻点マーク  Ｍｎ…非打刻点マーク  Ｐ…墨字  ＰＬ…印刷配置部長さ  Ｔ、Ｔ１、Ｔ２、Ｔ３……テープ
【図１】
2006145624.tif 000003
【図２】
2006145624.tif 000004
【図３】
2006145624.tif 000005
【図４】
2006145624.tif 000006
【図５】
2006145624.tif 000007
【図６】
2006145624.tif 000008
【図７】
2006145624.tif 000009
【図８】
2006145624.tif 000010
【図９】
2006145624.tif 000011
【図１０】
2006145624.tif 000012
【図１１】
2006145624.tif 000013
【図１２】
2006145624.tif 000014
【図１３】
2006145624.tif 000015
【図１４】
2006145624.tif 000016
【図１５】
2006145624.tif 000017
【図１６】
2006145624.tif 000018
【図１７】
2006145624.tif 000019
【図１８】
2006145624.tif 000020
【図１９】
2006145624.tif 000021